(57)【要約】【課題】  従来の対空標識は、現地基準点を中心に正方形の板を設置し上面を白色に塗装したもの、あるいは基準点を中心にして放射状に３方向又は４方向に板を設置し上面を白色に塗装したもの等が用いられてきたため、標定作業の課程においてオペレーターのミスが介在した。また、対空標識の現地設営作業の簡素化省力化も必要である。【解決手段】  適当な大きさの円形状のシートに、これより小さい中心位置を記した円形状のシートを上に重ね張り合わせたもので、上内側円形シートは白色又は黄色等に、外下側になるシートは黒色又は暗色にして、上内側円形の輪郭を鮮明に写し込めるようにしたものである。撮影された対空標識は、重心計算によりその中心位置を正確に算出するため標定作業に於けるオペレーターのミスが排除される。更に、このシート形態の対空標識を事前に準備することで現地作業の簡素化省力化が図られる。【選択図】  図１
2005062143.tif 000002
【特許請求の範囲】
【請求項１】
黒、若しくは暗色地の布又は厚手の紙あるいは合成樹脂等のシートを用意し、これより小さな円形の白色又は黄色等鮮やかな色の布又は紙あるいは合成樹脂等のシートを上に張り付けた対空標識。
【請求項２】
黒、若しくは暗色地の布又は厚手の紙あるいは合成樹脂等のシートに、これより小さい円形の白色又は黄色等鮮やかな色に染色又は印刷した一体型対空標識。
【発明の詳細な説明】
【技術分野】
【０００１】  本発明は航空写真測量を実施する際、航空写真の標定用に設置する基準点を、明確な点として画像取得するために現地基準点位置に設置する対空標識に関するものである。
【背景技術】
【０００２】  従来の対空標識は、現地基準点を中心に正方形の板を設置し上面を白色に塗装したもの、あるいは基準点を中心にして放射状に３方向又は４方向に板を設置し上面を白色に塗装したもの等が用いられてきた。これら標識の大きさは、撮影高度より計算された撮影縮尺により計算され、明瞭な画像として取得できる寸法で製作される。【０００３】  航空写真撮影により取得された画像は図化機等を利用して解析されるが、その際に画像の取得時の姿勢を再現する作業即ち標定作業を行う時に、オペレーターは基準点の位置を正確に指示する必要がある。この作業はオペレーターの能力により精度が左右される要素が含まれている。【０００４】  航空写真測量の世界もコンピューターによる解析が進み始めた昨今、従来型対空標識で標定作業を進めようとすると、オペレーターによる人為的ミスが混入し、精度管理上好ましくない状況である。【０００５】  一方、特開２００２−１４８０４６の対空標識設置方法に依れば、形状及び設置手法等は従来通りであるが、使用材料を生分解性合成樹脂にすることで標識撤去の作業を排する省力化が提案されているが、本発明とは視点及び領域を異にする。
【発明の開示】
【発明が解決しようとする課題】
【０００６】  従来型の対空標識による数多くの標定点において、オペレーターの視覚により中心位置つまり基準点位置を１００％正確に指示することは不可能に近いと言わざるを得ない。【０００７】  また、近年はデジタル・カメラによる航空写真撮影が行われるようになり、撮影から図化作業までコンピューターによる一貫作業が行えるようになった。この事は従来の作業課程を根本から見直して、コンビューターの特性を最大限発揮し、人為的ミスの排除を徹底して図る必要がある。また、対空標識の現地設営作業の簡素化省力化も必要である。【０００８】  以上の観点から、航空写真測量に於ける重要な標定作業を、コンビューターが得意とする形状及び取り扱いの容易な対空標識を考案し提供する必要がある。
【課題を解決するための手段】
【０００９】  本発明の対空標識は、適当な大きさの円形状若しくは方形状のシートに、これより小さい中心位置を記した円形状のシートを上に重ね合わせたもので、上内側円形シートは白色又は黄色等に、外下側になるシートは黒色又は暗色にして、上内側円形の輪郭を鮮明に写し込めるようにしたものである。【００１０】  本発明の対空標識の直接的目的は、中心位置を記した内側円形を鮮明な画像として取得するために、これの外側に反対色を配するわけであるから、これを満足する物であれば一体型であった方が良いことは言うまでもない。【００１１】  本発明の対空標識を現地基準点に設置する場合は、基準点と対空標識の円形中心を完全に一致させて設置し航空写真撮影を行う。【００１２】  航空写真に写し込まれた本発明の対空標識は、鮮明な円盤状の標定点として取得される。コンピューターによる標定作業では、モニター上で標定点の円盤内をオペレーターが適当に指示することにより円盤の重心位置を計算し、正確な中心位置つまり基準点位置を算出し完璧な標定作業が行える。
【発明の効果】
【００１３】  航空写真撮影をデジタルカメラにより行い、取得したデジタル画像をコンピューターにより解析する一貫作業において、特に精度を左右する標定作業ではオペレーターの人為的ミスを排除する必要がある。【００１４】  本発明の対空標識を設置した現場の航空写真の場合、対空標識の円盤重心位置を計算で求め、正確な中心位置つまり基準点位置を決定することで完璧な標定作業が行え、オペレーターの人為的ミスを排除する事が出来る。【００１５】  更に、本発明の対空標識を軽量なシート状のものとして製作すると、現地への搬入に労することもなく、また設置作業はシートを広げて中心位置を基準点合わせ、シートの縁を砂袋等で押さえるだけの簡便な作業で終えることになり、省力化が図られる。
【発明を実施するための最良の形態】
【００１６】  方形又は円形状のシート（耐水布、合成樹脂等）に、中心位置に小孔を開けた白色又は黄色の円を染色又は印刷し、その外側は黒色又は暗色に染色又は印刷した一体型対空標識を製作する。【００１７】  一体型のシート状対空標識は、撮影縮尺・撮影面積に合わせた大きさと数量を準備する。【００１８】  標定点となる現地基準点は、現地盤に測量釘を打ち設置する。杭等を打ち込む場合でもその頂部は現地盤高に合う高さまで打ち込み、その頂部には測量釘等打ち込む。【００１９】  対空標識中心部の小孔、即ち円の中心を基準点の測量釘に合致させた状態でシートを広げ、シートの縁を砂等を入れたビニール袋等で押さえ、風により対空標識が動くことを防止する。この際、押さえ用の砂袋が内側円弧の縁に掛からないようにする必要がある。【００２０】  大きな対空標識を使用し強い風が予想される現場では、対空標識のシート端を完全に押さえ込み、更に中心部の円形部分シート上にも砂袋を置いて吹き上がりを防止する。この際、押さえ用の砂袋が内側円弧の縁に掛からないようにする必要があると同時に、砂袋の色を円弧の色に近い物を利用する。【００２１】  以上の状態に設置した対空標識を、デジタルカメラによる航空写真撮影を実施することで、一貫したコンピューター処理による航空写真測量が行える。【００２２】  撮影後には、設置時に置いた砂袋等を取り除き、対空標識のシートを回収し、次の現場に備える。
【実施例】
【００２３】  本発明の実施例では、低高度で撮影し大縮尺の図化作業を目標として実施した。具体的には、対地高度７５０フィート、図面縮尺５００分の１とした。【００２４】  使用デジタルカメラの１画素は８ミクロン平方、焦点距離２０ｍｍであったので、対地高度７５０フィート（約２２５ｍ）での識別可能な計算上の数値は約９ｃｍになる。【００２５】  取得画像としての１画素は判読不可能であり、更に重心計算により中心位置を求めることも出来ない。従って、画像として認識可能で更に重心計算が出来る大きさは５画素平方が最低条件であろうと推定した。【００２６】  作業を行うオペレーターの立場からの対空標識は、他の物件と識別しやすい大きさと形状及び鮮明さが要求される。この観点から上記最低条件の２倍程度を最適条件とした。【００２７】  考察結果を踏まえ、又、現地作業の簡素化を図るために３ｍｍ径の鋼線で直径１２０ｃｍの環を作り、これに黒地の布を接着剤で張り付け、更に直径８０ｃｍのラミネート加工した黄色の紙を環状黒地布の中心部に接着剤で張り付けた。【００２８】測量釘の笠に合う直径４８ｍｍの小孔を、黄色円の中心位置に黒地の布ごと開けた。更に、標識全体を防水処理した。【００２９】  以上の対空標識を６枚製作し、６０ｍ×１００ｍ程度の現場に於いて標定点となる基準点６点を均等に配し笠付きの測量釘を打ち、これに中心の小孔を合致させて対空標識を置き、標識の外側の縁に砂袋を４個程度ずつ置いて固定し設置した。【００３０】  以上の準備作業が終了した時点で、対地高度７５０フィートで航空写真撮影を実施した。撮影後に対空標識に置いていた砂袋を取り除き対空標識を撤去してから基準点の測量を行って、各基準点の座標、標高を実測した。【００３１】  取得した航空写真のデジタル・ステレオ画像を基に標定作業を行ったところ、対空標識は視覚的に鮮明にかつ適当な大きさとして写されていた。従って、オペレーターによる作業は簡単に素早く実施できた。【００３２】  以上の実施例に示すように、本発明による対空標識は課題解決に充分応えられることが証明された。
【図面の簡単な説明】
【００３３】
【図１】  基準点上に設置された実施例の対空標識を示す。
【図２】  図１に示す対空標識の断面図
【符号の説明】
【００３４】  １  基準点
２  環状鋼線（径１２０ｃｍ）
３  黒地布
４  ラミネートした黄色紙（径８０ｃｍ）
５  中心部の小孔（径４８ｍｍ）
６  重し用砂袋
【図１】
2005062143.tif 000003
【図２】
2005062143.tif 000004